(57)【要約】【課題】接続用光ファイバに波長選択機能を持たせようとすると、接続用光ファイバの途中に波長選択機能を有する部品を介在させなければならない。【解決手段】光コネクタ用キャピラリの微細孔内には波長選択用光ファイバが収納され、前記キャピラリの一端に配置された光ファイバ固定具は、接続用の光ファイバを載置するためのＶ溝が形成されたＶ溝基板と、前記光ファイバをＶ溝内に押える押え蓋と、Ｖ溝基板と押え蓋とに応力を与えて前記光ファイバをＶ溝内に押える方向に応力を発生させるクランプスプリングとで構成され、更に前記波長選択用の光ファイバと接続用の光ファイバとが一直線状となるように配置されていることを特徴とする。これにより上記課題が解決される。【選択図】図１
2004191819.tif 000002
【特許請求の範囲】
【請求項１】
微細孔が形成された光コネクタ用キャピラリと、接続用の光ファイバを固定するための光ファイバ固定具と、これらを収納するコネクタハウジングとを備え、光コネクタ用キャピラリの微細孔内には波長選択用光ファイバが収納され、光ファイバ固定具は、接続用の光ファイバを載置するためのＶ溝が形成されたＶ溝基板と、前記光ファイバをＶ溝内に押える押え蓋と、Ｖ溝基板と押え蓋とに応力を与えて前記光ファイバをＶ溝内に押える方向に応力を発生させるクランプスプリングとで構成され、更に前記波長選択用の光ファイバと接続用の光ファイバとが一直線状となるように光コネクタ用キャピラリの一端と光ファイバ固定具とが連結されていることを特徴とする光コネクタ。
【請求項２】
波長選択用の光ファイバは、その一部にグレーティング部が形成されていることを特徴とする請求項１に記載の光コネクタ。
【請求項３】
波長選択用の光ファイバは、光ファイバ固定具側の端部にグレーティング部を持たない部分を有することを特徴とする請求項２に記載の光コネクタ。
【請求項４】
Ｖ溝基板のＶ溝又は押え蓋には、グレーティング部の位置する部分に切り欠き部を有し、グレーティング部に側圧応力を作用させないように構成されていることを特徴とする請求項２又は３に記載の光コネクタ。
【発明の詳細な説明】
【０００１】
【発明の属する技術分野】
本発明はメカニカルスプライス技術を用いた現場付け用のＳＣ光コネクタに係るものであり、その目的は、接続現場において無電源、無研磨、短時間でコネクタを構成することができるものを提供することにある。
【０００２】
【従来の技術】
従来、現場付け用のＳＣコネクタとして図６〜図９に示すものが存在する（例えば特許文献１）。図６は従来の光コネクタの外観図を示すものである。図７はその分解図を示すものであり、図において、１はハウジング部、２はフェルールを示すものであり、３はゴムブーツを示すものである。図８はそのフェルール２の要部説明図であり、図９は更にフェルール２の内部構成図を示すものである。図８及び図９において、４は光コネクタ用キャピラリ、５は光コネクタ用キャピラリ４内に形成された微細孔、６は光ファイバ固定具、７は接続用の光ファイバ、８はＶ溝基板、９は裸光ファイバ押え蓋、１０は光ファイバ被覆押え蓋、１１は裸光ファイバ押え用のクランプスプリング、１２は被覆押え用のクランプスプリング、１３は光コネクタ用キャピラリ４と光ファイバ固定具６とを接続するためのフランジ、１４は一部が微細孔５内に収納され一部がＶ溝基板８のＶ溝８'内の一部に載置された中間光ファイバである。
【０００３】
微細孔５とＶ溝８'とは一直線状に配置され、接続用の光ファイバ７と中間光ファイバ１４とがその軸線が一直線となるように配置されている。光ファイバ固定具６はＶ溝基板８、裸光ファイバ押え蓋９、光ファイバ被覆押え蓋１０、裸光ファイバ押え用のクランプスプリング１１、被覆押え用のクランプスプリング１２、フランジ部１３とで構成されている。
【０００４】
中間光ファイバ１４は、その一端が微細孔５の先端側から臨むように、また他端はＶ溝基板８の一部のＶ溝８'内に配置されるように予め工場等で組み立てられている。
【０００５】
このように構成された光コネクタに接続用の光ファイバ７を接続現場で取りつけるには以下のようにして行う。
先ず始めに接続現場において、接続用の光ファイバ７はその端部に位置する光ファイバ被覆７'が剥ぎ取られて、裸光ファイバ７''が露出され、さらにその裸光ファイバ７''は図示しない光ファイバ切断器によってその切断端面が鏡面状に切断される。
【０００６】
次ぎに、Ｖ溝基板８と裸光ファイバ押え蓋９、及びＶ溝基板８と光ファイバ被覆押え蓋１０との間にそれぞれ、第８に示すように、専用くさび１５を介在させて、クランプスプリング１１・１２に対してクランプ力に抗する力を与えて、Ｖ溝基板８と裸光ファイバ押え蓋９、及びＶ溝基板８と光ファイバ被覆押え蓋１０とをそれぞれが離れる方向に微動させ、Ｖ溝空間が大きくなるように広げる。
【０００７】
次ぎにその広げられた空間内に、前記接続用の光ファイバ７の端部を光ファイバ被覆押え蓋１０側から挿入し、Ｖ溝８'内に接続用の光ファイバ７を位置させる。このような状態で前記クランプ力に抗する力を解除すると、裸光ファイバ押え用のクランプスプリング１１及び被覆押え用のクランプスプリング１２のクランプ力で接続用の光ファイバ７及び裸光ファイバ７''は図示のようにＶ溝基板８のＶ溝８'内に配置・固定される。
【０００８】
なお、光ファイバ被覆押え蓋１０で被われるＶ溝８'は、裸光ファイバ押え蓋９で被われるＶ溝''に比較して溝が深く形成され、接続用の光ファイバ７をＶ溝８’・８''に配置した際に接続用の光ファイバ７がＶ溝内で一直線となるようになっている。また、中間用光ファイバ５と接続用の光ファイバとの接続端部部分には、図示しない無色透明のグリース状の屈折率整合剤が両光ファイバ端面での光反射を抑える等の目的で配置されている。
【０００９】
他方、ＪＩＳＣ５９７３に制定されている工場付けのＳＣコネクタに関しては、前記中間光ファイバ１１と接続用の光ファイバ７との間に、誘電体多層膜で構成されたチップ片を介在させたものが提案されている。
【００１０】
また、更に、ＪＩＳＣ５９７３に制定されている工場付けのＳＣコネクタに関しては、前記中間光ファイバ１４と接続用の光ファイバ７とに相当する一本のピグテール用の光ファイバを準備し、このピグテール用の光ファイバの端部にグレーティング部を形成し、このグレーティング部分を前記光コネクタ用キャピラリ４の微細孔５内に配置することも行われている（例えば特許文献２）。
【００１１】
【特許文献１】
特開平１１‐１４２６８６号公報
【特許文献２】
特開２００２−１１６３４６号公報
【００１２】
【発明が解決しようとする課題】
しかしながら、図９に示す従来のコネクタを用いて波長選択性の機能を持つように構成しようとすると、図１０に示すように、光コネクタと異なる位置で接続用光ファイバ７を分断するように波長選択機能を有する部品１６を介在させなければならない。
【００１３】
このような構成は、接続用の光ファイバを分断し、その間に波長選択機能を有する部品１６を配置させることになるため、メカニカル接続にせよ、融着接続にせよ接続部分１７の数が増えてその部分で接続損失を発生し、光伝送線路全体の伝送損失が増加する課題を発生する。更に、その波長選択機能を持つ部品１７の収納場所及び特性を安定化させることの考慮をしなければならない。更に、このように光コネクタの接続を必要とする場所は、光ファイバの余長処理が必須であり、これらの収納部分１９の体積を大きなものにしなければならない課題を生じる。
【００１４】
また、上記特許文献２に記載された光コネクタをしようする場合においても、図１１に示すようにドロップ光ファイバなどの接続光ファイバ７とピグテール用の光ファイバ２０とを接続しなければならず、線路の伝送損失を増加させる課題を発生する。
【００１５】
【課題を解決するための手段】
本発明は係る点に鑑みなされたもので、上記ドロップ光ファイバ等の接続用の光ファイバを、ピグテール用の光ファイバを介することなく、直接光コネクタ内で接続でき、更に波長選択機能を有するものである。
【００１６】
本請求項１の発明は、微細孔が形成された光コネクタ用キャピラリと、接続用の光ファイバを固定するための光ファイバ固定具と、これらを収納するコネクタハウジングとを備え、光コネクタ用キャピラリの微細孔内には波長選択用光ファイバが収納され、光ファイバ固定具は、接続用の光ファイバを載置するためのＶ溝が形成されたＶ溝基板と、前記光ファイバをＶ溝内に押える押え蓋と、Ｖ溝基板と押え蓋とに応力を与えて前記光ファイバをＶ溝内に押える方向に応力を発生させるクランプスプリングとで構成され、更に前記波長選択用の光ファイバと接続用の光ファイバとが一直線状となるように光コネクタ用キャピラリの一端と光ファイバ固定具とが連結されていることを特徴とする。
【００１７】
請求項２の発明は、請求項１において、波長選択用の光ファイバは、その一部にグレーティング部が形成されていることを特徴とする。
【００１８】
請求項３の発明は、請求項２において、波長選択用の光ファイバが、光ファイバ固定具側の端部にグレーティング部を持たない部分を有することを特徴とする
【００１９】
請求項４の発明は、請求項２または請求項３において、Ｖ溝基板のＶ溝又は押え蓋のグレーティング部の位置する部分に切り欠き部を有し、グレーティング部に側圧応力を作用させないようにしたことを特徴とする。
【００２０】
【発明の実施の形態】
グレーティング部は、従来と同様に、ゲルマニュームがドープされた石英系からなる光ファイバに対し、紫外線の干渉パターンを照射することにより形成される。これは干渉パターンの光強度分布に応じてガラスの屈折率が変動することによるものである。これにより光ファイバ中を進行してきた光の内、ある特定の波長の光のみを反射させることができる。この反射波長（ブラッグ波長）は、グレーティング部の周期に応じて定まる。
【００２１】
グレーティング部は外部応力の影響を強く受けるために、コネクタの設計・製造に際しては注意が必要である。具体的には、接着部には接着剤加熱硬化時の残留応力が働くため、硬化収縮の少ない接着剤を使用したり、アニールにより光ファイバに作用する部材の残留応力を緩和する必要がある。
【００２２】
光ファイバ固定具は、接着剤を用いた外周から均一に応力を受ける固定とことなり、Ｖ溝及び抑え蓋により外周から局部的に応力を与えるので、他のコネクタとの接続作業時に加わる力や環境変化による光コネクタ用キャピラリの伸縮により、接続用の光ファイバが移動しない範囲で、できるだけ弱い把持するような配慮をする必要がある。
【００２３】
【実施例】
次に、本発明を、実施例及び比較例に基づきさらに詳細に説明する。
（実施例1）
図１において、４、５、６、７、８、９、１０、１１、１２、１３は従来の図８、図９と同様に、それぞれ光コネクタ用キャピラリ、光コネクタ用キャピラリ４内に形成された微細孔、光ファイバ固定具、接続用の光ファイバ、Ｖ溝基板、裸光ファイバ押え蓋、光ファイバ被覆押え蓋、裸光ファイバ押え用のクランプスプリング、被覆押え用のクランプスプリング、光コネクタ用キャピラリ４と光ファイバ固定具５とを接続するためのフランジ部である。２１は波長選択用光ファイバ、２２は波長選択用光ファイバ２１内に形成されたグレーティング部である。
【００２４】
光コネクタ用キャピラリ４はセラミック（ジルコニア）などの材料を用いて、微細孔５の内径が波長選択用光ファイバ２１の外径よりも僅かに大きい径で構成されている。波長選択用光ファイバ２１はゲルマニュームがドープされた石英系光ファイバに対して紫外線の干渉パターンを照射して、所定の波長の光が反射するようにグレーティング部が形成されている。波長選択用光ファイバ２１は、その一端が微細孔５の先端側から臨むように、また他端はＶ溝基板８の一部のＶ溝８’'内に配置されるように予め工場等で組み立てられている。その他の部品の動作及び作用は図９に示したものと同一である。
【００２５】
このように構成された本発明の光コネクタは、フェルール内に予め接続用の光ファイバ７とは別の波長選択用の光ファイバ２１が配置されている。従って、接続用の光ファイバ７の端部を接続現場において、従来のように、裸ファイバ７''を露出させ、端部が鏡面となるように光ファイバ切断器で切断させる加工を行った後、従来と同様に接続用の光ファイバ７をＶ溝基板のＶ溝８'、８''内に配置させることができる。なおこのようにして構成された本発明のフェルールには、従来と同様にフェルールの外部に図示しないコネクタハウジングやゴムブーツなどが配置されている。
このように構成された本発明の光コネクタは、図２に示すように、容易に波長選択性を持たせた光線路を構成することができる。なお、図２において、２３は本発明による光コネクタである。
【００２６】
（他の実施例）
図３及び図４はそれぞれ異なる本発明の他の実施例を示すフェルール内部の構成図である。図１と比較して異なる点は、波長選択用光ファイバ２１に形成されたグレーティング部２２が、裸光ファイバ押え蓋９の位置する直下よりも光コネクタ用キャピラリ４側に位置するように配置されている点が異なる。このように構成された光コネクタは、グレーティング部２２が裸光ファイバ押え蓋９により側圧を受けないので、それによるグレーティング部２２の特性劣化を発生しない。
【００２７】
図５は本発明の更に異なる他の実施例を示すフェルール内部の構成図である。この例に示されるものは波長選択用光ファイバ２１に形成されたグレーティング部２２の一部が、裸光ファイバ押え蓋９の位置する部分の直下にあるが、その部分及び近辺に切り欠け部２４が裸光ファイバ押え蓋９及びＶ溝基板８に形成されている点が異なる。このように構成された光コネクタは、グレーティング部２２が裸光ファイバ押え蓋９及びＶ溝基板８により側圧を受けないので、それによるグレーティング部２２の特性劣化を発生しない。なお、図示した例は裸光ファイバ押え蓋９及びＶ溝基板８の両方に切り欠け２４を設けたものを示してあるが、本発明はいずれか一方のみに形成しても同様の効果を得ることができる。
【００２８】
【発明の効果】
本発明は上述のように、微細孔が形成された光コネクタ用キャピラリと、接続用の光ファイバを固定するための光ファイバ固定具と、これらを収納するコネクタハウジングとを備え、光コネクタ用キャピラリの微細孔内には波長選択用光ファイバが収納され、光ファイバ固定具は、接続用の光ファイバを載置するためのＶ溝が形成されたＶ溝基板と、前記光ファイバをＶ溝内に押える押え蓋と、Ｖ溝基板と押え蓋とに応力を与えて前記光ファイバをＶ溝内に押える方向に応力を発生させクランプスプリングとで構成され、更に前記波長選択用の光ファイバと接続用の光ファイバとが一直線状となるように光コネクタ用キャピラリの一端と光ファイバ固定具とが連結されていることを特徴とする。
【００２９】
このため、接続箇所が少なくなり、光伝送路全体の伝送損失が少ない光伝送システムを構成することができる。また更に、波長選択機能を持つ部品の配置場所を考慮する必要がないので、コネクタ収納部の堆積を考慮する必要が無い効果を有する。
【図面の簡単な説明】
【図１】本発明の一実施例を示す要部断面図。
【図２】本発明を用いた光伝送線路の構成図。
【図３】本発明の他の実施例を示す要部断面図。
【図４】本発明のさらに他の実施例を示す要部断面図。
【図５】本発明のさらに他の実施例を示す要部断面図。
【図６】従来の光コネクタの外観図。
【図７】図６に示す従来の光コネクタの分解図。
【図８】図７に示す従来の要部説明図。
【図９】図７に示す従来の光コネクタの要部断面図。
【図１０】従来の光コネクタを用いた光伝送線路の構成図。
【図１１】従来の更に異なる光コネクタを用いた光伝送線路の構成図。
【符号の説明】
４・・・光コネクタ用キャピラリ
５・・・微細孔
６・・・光ファイバ固定具
７・・・接続用の光ファイバ
８・・・Ｖ溝基板
８’・・・Ｖ溝
８’’・・・Ｖ溝
９・・・裸光ファイバ押え蓋
１０・・・光ファイバ被覆押え蓋
１１・・・裸光ファイバ押え用のクランプスプリング
１２・・・被覆押え用のクランプスプリング
１３・・・フランジ
２１・・・波長選択用光ファイバ
２２・・・グレーティング部
２４・・・切り欠き
【図１】
2004191819.tif 000003
【図２】
2004191819.tif 000004
【図３】
2004191819.tif 000005
【図４】
2004191819.tif 000006
【図５】
2004191819.tif 000007
【図６】
2004191819.tif 000008
【図７】
2004191819.tif 000009
【図８】
2004191819.tif 000010
【図９】
2004191819.tif 000011
【図１０】
2004191819.tif 000012
【図１１】
2004191819.tif 000013